(57)【要約】【課題】  鳥に対する威嚇効果を高め、風の複雑な変化が分かるようにし、しかも動きを複雑にしてエクステリアとしての価値も高める。【解決手段】  第１の支軸９は、水平軸から直角に折れ曲がって垂直軸が下方向に延びており、その垂直軸は、第２の支軸１０の筒状部１３に回動自在に保持されている。第２の支軸１０は、筒状部１３を上端部に有し、該筒状部１３の下端部から下方に延びてから直角に折れ曲がって水平方向に延び、さらに直角に折れ曲がって下方向に延びて、クランク状になっており、その下端部は、第３の支軸１１の上端に設けられている筒状部１５回動自在に保持されている。胴体１は、主翼２，水平尾翼３，垂直尾翼４，プロペラ７，おもり８が設けられていて飛行機の形状をしており、その中心に第１の支軸9の水平軸が貫通して、該水平軸に対して回動自在に取り付けられている。【選択図】        図１
2015204796.tif 000002
【特許請求の範囲】
【請求項１】
水平軸から直角に折れ曲がって垂直軸が下方向に延びる第１の支軸と、
該第１の支軸の前記垂直軸を回動自在に収納する筒状部を上端部に有し、該筒状部の下端部から下方に延びてから直角に折れ曲がって水平方向に延び、さらに直角に折れ曲がって下方向に延びる第２の支軸と、
該第２の支軸の下端部を回動自在に収納する筒状部を上端部に有し、下方に延びる第3の支軸と、
風を受けて回転するプロペラを有し、前記第１の支軸の水平軸が貫通して、該水平軸に回動自在に取り付けられ、後端部に前記水平軸と平行な垂直尾翼を有する胴体
とを備えたことを特徴とする風向計兼用鳥除け装置。
【請求項２】
前記プロペラを前記胴体の前端部に設け、前記胴体の中央部両側面に主翼を設け、前記胴体の後端部両側面に水平尾翼を設けて飛行機の形状にしたことを特徴とする請求項１に記載の風向計兼用鳥除け装置。
【請求項３】
前記胴体の下側におもりを設けたことを特徴とする請求項１又は２に記載の風向計兼用鳥除け装置。
【発明の詳細な説明】
【技術分野】
【０００１】
本発明は、一般家庭の庭、アパートやマンションのベランダ等に設置して、風向きや風の強さ等、吹いている風の状態が分かるようにするとともに、有害な野鳥が近づかないように追い払うための風向計兼用鳥除け装置に関するものである。
【背景技術】
【０００２】
アパートやマンションのベランダに鳩等の野鳥が飛んできてフンをしたり、田畑，果樹園等に野鳥が飛来して農作物を食い荒したりして迷惑することがある。従来、そのような場合の対策として、例えば、特許文献１に示されるような各種の鳥除け装置が提案されている。
【０００３】
図４は、従来の鳥除け装置の一例を示す図である。図４において、２０は回転体、２１は防除杆、２２は風受け部である。回転体２０は、地面に立設された支柱の上端で、水平方向に回転自在に設けられ、その外周面には、プラスチック棒，金属棒等よりなる防除杆２１が、放射方向に複数本設けられている。そして、各防除杆２１には、お椀状の風受け部２２が取り付けられており、風が吹くと風受け部２２で風を受けて、回転体２０，防除杆２１が回転することにより野鳥を威嚇するとともに、回転によって生じる空気の乱流により、鳥が嫌がる振動が発生して、野鳥を追い払うようにしている。
【０００４】
また、風向計も、例えば、特許文献２に示されるように各種提案されている。図５は、従来の風向計の一例を示す図である。図５において、３０は風向計本体、３１は主翼、３２は垂直尾翼、３３はプロペラ、３４は支柱である。風向計本体３０は、支柱３４の上端で、水平方向に回転自在に設けられ、その両側部には主翼３１、後端部の上面に垂直尾翼３２、前端部にプロペラ３３が設けられていて、飛行機の形状をしている。
【０００５】
この風向計は、垂直尾翼３２に横方向から風が当たると、風圧により水平方向の回転力が働くため、風向計本体３０の先端部は常に風上方向に向くことになる。したがって、風向計本体３０の方向を見ることにより風向きが分かる。また、プロペラ３３の回転状態により、風の強さが分かる。
【先行技術文献】
【特許文献】
【０００６】
【特許文献１】特開２０１３−７０６３２号公報
【特許文献２】特開平１０−２０６４５４号公報
【発明の概要】
【発明が解決しようとする課題】
【０００７】
上記従来の鳥除け装置は、水平方向に回転するのみで、鳥に対する威嚇効果が限られる上、動きが単調でおもしろみに欠けるという問題点があった。また、上記従来の風向計も、水平方向に回転するのみで、風の状態として水平方向の風向きや風の強さしか分からない上、上記従来の鳥除け装置と同様に動きが単調でおもしろみに欠け、エクステリアとしての利用価値が低いという問題点があった。
【０００８】
本発明は、そのような問題点に鑑み、鳥に対する威嚇効果を高め、風の複雑な変化が分かるようにし、しかも動きを複雑にして人の興味を引き、エクステリアとしての利用価値も高めることを目的とするものである。
【課題を解決するための手段】
【０００９】
前記課題を解決するため、本願の請求項１にかかる風向計兼用鳥除け装置の発明は、水平軸から直角に折れ曲がって垂直軸が下方向に延びる第１の支軸と、該第１の支軸の前記垂直軸を回動自在に収納する筒状部を上端部に有し、該筒状部の下端部から下方に延びてから直角に折れ曲がって水平方向に延び、さらに直角に折れ曲がって下方向に延びる第２の支軸と、該第２の支軸の下端部を回動自在に収納する筒状部を上端部に有し、下方に延びる第3の支軸と、風を受けて回転するプロペラを有し、前記第１の支軸の水平軸が貫通して、該水平軸に回動自在に取り付けられ、後端部に前記水平軸と平行な垂直尾翼を有する胴体とを備えたことを特徴とする。
【００１０】
また、本願の請求項２にかかる発明は、請求項１にかかる発明において、前記プロペラを前記胴体の前端部に設け、前記胴体の中央部両側面に主翼を設け、前記胴体の後端部両側面に水平尾翼を設けて飛行機の形状にしたことを特徴とする。
【００１１】
また、本願の請求項３にかかる発明は、請求項１又は２にかかる発明において、前記胴体の下側におもりを設けたことを特徴とする。
【発明の効果】
【００１２】
本発明は、次のような効果を奏する。
すなわち、請求項１にかかる発明においては、水平方向に回動可能な胴体に、風を受けて回転するプロペラを有し、後端部には、第１の支軸の水平軸に回動自在に取り付けられ、後端部に前記水平軸と平行な垂直尾翼を有するので、胴体の方向を見ることにより風向きが分かり、プロペラの回転状態により、風の強さが分かる。しかも、互いに回動自在な第１の支軸，第２の支軸，第３の支軸により、胴体が横方向に自在に揺れ動き、かつ水平方向に自在に回転し、第１の支軸の水平軸を中心として自在に回転するので、吹く風に応じて複雑な動きをして、鳥に対する威嚇効果を高め、風の複雑な変化が分かるし、しかも複雑な動きにより人の興味を引き、エクステリアとしての利用価値も高めることができる。
【００１３】
また、請求項２にかかる発明においては、請求項１にかかる風向計兼用鳥除け装置において、プロペラを胴体の前端部に設け、胴体の中央部両側面に主翼を設け、胴体の後端部両側面に水平尾翼を設けて飛行機の形状にしたので、風が吹くと飛行機が、時に旋回飛行や水平回転飛行をしながら飛び回っているように見え、見ていて飽きることがなく、エクステリアとしての価値が高まる。
【００１４】
また、請求項３にかかる発明においては、請求項１又は２にかかる風向計兼用鳥除け装置において、胴体の下側におもりを設けたので、風に吹かれて胴体の上下が反転しても、おもりの作用により元の姿勢に戻ることができる。
【図面の簡単な説明】
【００１５】
【図１】本発明の一実施例に係る風向計兼用鳥除け装置を示す図である。
【図２】図１の風向計兼用鳥除け装置の平面図である。
【図３】プロペラの作り方を説明するための図である。
【図４】従来の鳥除け装置の一例を示す図である。
【図５】従来の風向計の一例を示す図である。
【発明を実施するための形態】
【００１６】
以下、本発明の実施例を図面に基づいて詳細に説明する。
【実施例１】
【００１７】
図１は、本発明の一実施例に係る風向計兼用鳥除け装置を示す図であり、図２は、その平面図である。図１，図２において、１は胴体、２は主翼、３は水平尾翼、４は垂直尾翼、５，６は開口、７はプロペラ、８はおもり、９〜１１は支軸である。
【００１８】
この実施例では、使用済みの飲料用ペットボトルを再利用してゼロ戦の形状にしている。胴体１は、空きペットボトルの側面の一部をナイフ等で切り取って開口５，６を開けて窓とするとともに、それらの開口５，６から筆を入れて、ペットボトルの内面に塗料を塗布し、胴体１に色付けをしている。また、胴体１の中央部両側面には、左右両側に張り出すように主翼２を設け、後端部両側面には水平尾翼３を設け、後端部上面には、垂直尾翼４を設けている。それらの胴体１への取り付けは、ねじ止め、接着等、適宜の手段を使って行うことができる。
【００１９】
さらに、胴体１の前端部にはプロペラ７を設けている。このプロペラ７は、別のペットボトルの底部分を利用して作っている。作り方は、まずペットボトルの底から数センチの胴部分をハサミでコップ状に切り取る。そして、図３に示すように、切り取った縁部分Ａから底Ｂの方向に向かって複数本の切込みＣ，Ｄを入れる。その際、一方の切込みＣの長さを、他方の切込みＤの長さより長くする。さらに、横方向に切込みＥを入れて、プロペラの羽根にする部分Ｆを残して切り取り、両切込みＣ，Ｄの下端を結ぶ線Ｇに沿ってプロペラの羽根にする部分Ｆを外側に折り曲げる。
【００２０】
そのようにして作成したプロペラ７を胴体１の前端部に配置し、両者に第１の支軸９の水平軸を貫通させる。また、胴体１の中央部下側におもり８を取り付ける。このおもり８は、爆弾を模しており、例えば木片を加工して作ることができる。胴体１とプロペラ７は、それぞれ第１の支軸９の水平軸を軸にして個別に回転自在に設けられており、胴体１は、風に吹かれて回転し、上下が反転することがあっても、おもり８の作用により元の水平位置に戻るようになっている。
【００２１】
そのような風を受けての胴体１の挙動は、おもり８の重さを変えることにより調整できる。すなわち、おもり８を重くすると、多少の風が吹いても胴体１は回転しにくくなって姿勢が安定する。それに対して、おもり８を軽くすると、胴体１が回転しやすくなって、動きが軽快になる。そのような観点から、自分の望む動きをするようにおもり８の重さを選択すればよい。
【００２２】
また、おもり８の効果は、おもり８の取り付け位置によっても変化する。すなわち、おもり８の重さが同じでも、おもり８の位置を第１の支軸９の水平軸から離すほど（胴体１の外側に、胴体１から離して取り付けるほど）胴体１の回転を抑えることができる。それに対して、おもり８の位置を第１の支軸９の水平軸に近づけるほど、例えば、胴体１の内側に取り付けると、胴体１が回転しやすくなって、動きが軽快になる。
【００２３】
第１の支軸９は、水平軸から直角に折れ曲がって垂直軸が下方向に延びており、その垂直軸は、第２の支軸１０の筒状部１３に挿入され、垂直軸に一体的に設けられた鍔１２が筒状部１３の上端縁に当接する状態で回動自在に保持されている。第２の支軸１０は、筒状部１３を上端部に有し、該筒状部１３の下端部から下方に延びてから直角に折れ曲がって水平方向に延び、さらに直角に折れ曲がって下方向に延びて、クランク状になっている。そして、その下端部は、第３の支軸１１の上端に設けられている筒状部１５に挿入され、下端部に一体的に設けられた鍔１４が筒状部１５の上端縁に当接する状態で回動自在に保持されている。
【００２４】
胴体１は、このような第１の支軸９，第２の支軸１０，第３の支軸１１により支持されるため、第１の支軸９と第２の支軸１０の筒状部１３との間、及び第２の支軸１０の下端
部と第３の支軸１１の筒状部１５との間で水平方向に自在に回動可能であり、また、胴体１は、第１の支軸９の水平軸を中心にして自在に回動可能となる。したがって、風の吹き具合に応じて、第１の支軸９の水平軸は横方向に幅広く位置を変えて動き、その水平軸に軸支された胴体１は、水平方向に自在に動き回ることができ、それに加えて、第１の支軸９の水平軸の周りで自在に回転し、旋回飛行や水平回転飛行のような動きをすることができる。そして、胴体１が第１の支軸９の水平軸を中心にして回動して、上下が反転しても、下側におもり８が設けられているため元の水平位置に戻ることができる。
【００２５】
このように、胴体１は、風の吹き具合に応じて、複雑な動きを示すことで、主翼２が鳥の翼と重なって、鳥に似ていることも相まって、鳥に対する威嚇効果が高まる上、胴体１の動きを見ることにより、風向だけでなく風の巻き具合等、風の複雑な変化が分かる。しかも、動きを複雑にして見ていて飽きることがなく、エクステリアとしての価値も高まる。
【００２６】
なお、上記実施例では、第１の支軸９の水平軸に取り付ける胴体１を飛行機の形状にしたが、それに限定されず、それ以外の形状、例えば、ヘリコプターや鳥の形状にしてもよい。その際、ヘリコプターの形状にする場合は、左右のスキッド（脚部）を太くしておもりにすることができる。また、鳥の形状にする場合は、鷲や鷹のような猛禽類に似せた形状にすれば、鳥除けの効果を高めることができる。その際、脚の爪で獲物を掴んでいる形にすれば、獲物をおもりにすることができる。
【００２７】
また、上記実施例では、使用済みのＰＥＴボトルを利用して作製した。そのように使用済みのＰＥＴボトルを使用すれば、資源の有効利用になるが、必ずしもそれには限定されず、材料としては、プラスチック原料から成形する等、適宜の材料を使うこともできる。
【符号の説明】
【００２８】
１  胴体
２  主翼
３  水平尾翼
４  垂直尾翼
５，６  開口
７  プロペラ
８  おもり
９  第１の支軸
１０  第２の支軸
１１  第３の支軸
１２，１４  鍔
１３，１５  筒状部
２０  回転体
２１  防除杆
２２  風受け部
３０  風向計本体
３１  主翼
３２  垂直尾翼
３３  プロペラ
３４  支柱
【図１】
2015204796.tif 000003
【図２】
2015204796.tif 000004
【図３】
2015204796.tif 000005
【図４】
2015204796.tif 000006
【図５】
2015204796.tif 000007